(57)【要約】【課題】従来からあるいわゆるキャリータイプとボックスタイプの各紙箱の構成を利用して、出来るだけ手間を省き、加えて、当該紙箱を形成する材料を有効に活用した保冷体収納部付組立て紙箱を提供する。【解決手段】相対向する左側板８と右側板１８の上端縁に折り目を介して側板上板９、１９を夫々設け、側板上板９、１９上であって前記各折り目の両端より内側箇所の当該各折り目から上部に略山形の切り込みを夫々設け、当該各略山形の切り込みによって形成される各略山形片１０ａ、２６ａを前記折り目から切り離し、側板上板９、１９を前記折り目により当該紙Ａ箱の底板に向けて夫々折り込み、当該折り込まれた側板上板９、１９と相対向する各側板８、１８によって、側面が開口した保冷体収納部２２、２３を夫々設けた。【選択図】図１
2010013131.tif 000002
【特許請求の範囲】
【請求項１】
底板の四辺に設けられた各板体を折り目により折り込んで各側板を形成する組み立て紙箱において、
一つの側板の上端縁に折り目を介して側板上板を設け、当該側板上板上であって前記折り目の両端より内側箇所の当該折り目から上部に略山形の切り込みを設け、当該略山形の切り込みによって形成される略山形片を残したまま、前記側板上板を前記折り目により当該紙箱の底板に向けて折り込み、
当該折り込まれた側板上板と相対向する側板によって、内側面が開口した保冷体収納部を設けたことを特徴とする、保冷体収納部付組立て紙箱。
【請求項２】
底板の四辺に設けられた各板体を折り目により折り込んで各側板を形成する組み立て紙箱において、
一方の相対向する各側板の上端縁に折り目を介して側板上板を夫々設け、当該各側板上板上であって前記折り目の両端より内側箇所の当該折り目から上部に略山形の切り込みを夫々設け、当該切り込みによって形成される略山形片上であって前記折り目から上部に縦方向の一定長の切り込みを夫々設け、
前記一方の相対向する各側板上板の切り込みによって形成された略山形片を残したまま、当該各略山形片の外側の前記各側板上板を前記折り目によって当該紙箱の底板に向けて夫々折り込み、当該折り込まれた側板上板と相対向する側板によって、側面が開口した保冷体収納部を少なくとも一つ設け
当該紙箱の他方の相対向する各側板の上端縁に折り目を介して当該紙箱の上面開口部のほぼ半分の大きさを有する天板を夫々設け、当該天板の上端縁に折り目を介して折り込み板を夫々設け、前記各天板と各折り込み板の間の折り目の略中央から当該各折り込み板上に略山形の切り込みを設け、
前記各天板を各折り目により内側に折り込み、さらに、各折り込み板を各折り目により折り上げて略垂直に立設させて互いに重ね、同時に各折り込み板の略山形の切り込みによって形成された水平な状態の略山形片を互いに重ねて当該紙箱の取り手を設け、前記一方の相対向する各側板の略山形片を夫々内側に倒して当該各略山形片の縦方向の切り込みに前記折り込み板の左右の端部を差し入れて夫々係止したことを特徴とする保冷体収納部付組立て紙箱。
【請求項３】
底板の四辺に設けられた各板体を折り目により折り込んで各側板を形成する組み立て紙箱において、
一方の相対向する各側板の上端縁に折り目を介して側板上板を夫々設け、当該各側板上板上であって前記折り目の両端より内側箇所の当該折り目から上部に略山形の切り込みを夫々設け、当該各略山形の切り込みによって形成される各略山形片を残したまま、当該各略山形片の外側の側板上板を前記折り目により当該紙箱の底板に向けて夫々折り込み、
当該折り込まれた側板上板と相対向する側板によって、側面が開口した保冷体収納部を少なくとも一つ設け、前記略山形片を内側に折り込んで天板又は別設の蓋で前記組立て紙箱の開口部を塞ぐことを特徴とする、保冷体収納部付組立て紙箱。
【請求項４】
前記側板上板の長さを側板の長さより長く設け、当該側板上板を折り目によって前記底板に向けて折り込み、当該側板上板を内側に凸湾曲させてその先端縁を底板上に当接させたことを特徴とした、前記請求項１、２又は３の何れかに記載の保冷体収納部付組立て紙箱。
【請求項５】
前記側板上板上において、前記側板と側板上板との間の折り目の上方にもう１本折り目を設け、前記側板上板をこれらの２本の折り目によりコ字型にして内側及び底板に向けて折り込んだことを特徴とする、前記請求項１、２、３又は４の何れかに記載の保冷体収納部付組立て紙箱。
【請求項６】
前記紙箱の底板を四方の各側板の下端縁に折り目を介して設けた各底板片を重ねて形成し、前記側板上板を設けていない相対向する各側板の一方の側板の底板片の横幅を当該紙箱の底板の横幅よりやや短く設け、各底板片を重ねて紙箱の底板を形成する際、前記他方の相対向する各側板の一方の側板の底板片を各底板片の最上位に位置させ、当該底板片の左右の両端縁に前記各側板の折り込んだ側板上板の先端縁を係止することを特徴とする、前記請求項１、２、３、４又は５の何れかに記載の保冷体収納部付組立て紙箱。
【請求項７】
前記折り込まれた側板上板の外端に突片を設け、当該突片を対向する底板に穿った透孔内に挿入係止することを特徴とする前記請求項１、２、３、４、５又は６の何れかに記載の保冷体収納部付組立て紙箱。
【請求項８】
前記側板上板を折り込む、側板と側板上板との間の折り目をミシン目として、当該折り目により前記側板上板を切り取り自在に設けたことを特徴とする前記請求項２、３、４、５、６又は７の何れかに記載の保冷体収納部付組立て紙箱。
【発明の詳細な説明】
【技術分野】
【０００１】
この発明は、洋菓子店等において、菓子やその他の食品等の持ち運びに使用される組立て自在な紙箱に関するものであって、特に、当該紙箱内部の温度の上昇を防ぐ保冷体を収納するスペースを設けた保冷体収納部付組立て紙箱に関するものである。
【背景技術】
【０００２】
従来、洋菓子店において、ケーキなどの生菓子を販売する際、持ち運びに便利な紙製の組立て紙箱（以下、単に「紙箱」と言う。）を使用している。この様な紙箱としては、取り手付のキャリータイプと取り手無しのボックスタイプの２つに大別される。
【０００３】
この様な紙箱においては、気温が上がる夏場はもちろん、昨今では、冬であっても、多くの場所で暖房が充分に行われているため、生ものであるケーキ等の菓子やその他の食品が傷まないように、当該紙箱内に保冷体を収納するスペースを設け、当該スペースに保冷体を入れて、当該紙箱内の温度が上昇するのを防ぐようにしている。
【０００４】
前記キャリータイプで前記収納スペースを設けたものとしては、特許文献１に示すように、紙箱内に載置されたケーキ等と接触し難く、かつ、効果的に温度上昇を防ぐものとして、箱本体の前側面又は後側面の何れかの左右の両端縁に折り目を介して内側に開閉自在な内側板を夫々設け、これらの内側板を前記折り目によって内側に折り込んで、保冷体を収納するスペースを設けたと言うものがある。
【０００５】
また、前記ボックスタイプのものとしては、特許文献２に示すように、箱本体の後側板の上端縁に折り目を介して天板とは別に、内側天板を設け、この内側天板を前記折り目により折り込んでこの内側天板上に保冷体を収納するスペースを設け、この上から前記天板を被せるというものがある。
【特許文献１】特開２００７−１８６２１９号公報
【特許文献２】実用新案登録第３１４０４８８号公報
【発明の開示】
【発明が解決しようとする課題】
【０００６】
しかしながら、前記特許文献１の紙箱では、保冷体を収納するスペースを設けるために、前側面又は後側面の何れかに、わざわざ、開閉自在な内側板を夫々設けており、別途、専用の構成及び部材を必要としている。また、前記特許文献２の紙箱では、保冷体を収納するスペースを設けるために、箱本体の後側板の上端縁に折り目を介して天板とは別に、専用の内側天板を設けており、手間となっており、何れも別途新たな部材を必用としている。
よって、出来るなら、可能な限り、手間を省き、また、当該紙箱を形成する材料も有効に活用することが望まれ、加えて優れた保冷体効果も期待される。
【０００７】
この発明は、従来からあるいわゆるキャリータイプとボックスタイプの各紙箱の構成を利用して、出来るだけ手間を省き、加えて、当該紙箱を形成する材料を有効に活用し、さらに、保冷効果の高い保冷体収納部付組立て紙箱を提供するものである。
【課題を解決するための手段】
【０００８】
請求項１の発明は、底板の四辺に設けられた各板体を折り目により折り込んで各側板を形成する組み立て紙箱において、一つの側板の上端縁に折り目を介して側板上板を設け、当該側板上板上であって前記折り目の両端より内側箇所の当該折り目から上部に略山形の切り込みを設け、当該略山形の切り込みによって形成される略山形片を残したまま、前記側板上板を前記折り目により当該紙箱の底板に向けて折り込み、当該折り込まれた側板上板と相対向する側板によって、内側面が開口した保冷体収納部を設けた保冷体収納部付組立て紙箱とした。
【０００９】
請求項２の発明は、底板の四辺に設けられた各板体を折り目により折り込んで各側板を形成する組み立て紙箱において、一方の相対向する各側板の上端縁に折り目を介して側板上板を夫々設け、当該各側板上板上であって前記折り目の両端より内側箇所の当該折り目から上部に略山形の切り込みを夫々設け、当該切り込みによって形成される略山形片上であって前記折り目から上部に縦方向の一定長の切り込みを夫々設け、前記一方の相対向する各側板上板の切り込みによって形成された略山形片を残したまま、当該各略山形片の外側の前記各側板上板を前記折り目によって当該紙箱の底板に向けて夫々折り込み、当該折り込まれた側板上板と相対向する側板によって、側面が開口した保冷体収納部を少なくとも一つ設ける。
【００１０】
当該紙箱の他方の相対向する各側板の上端縁に折り目を介して当該紙箱の上面開口部のほぼ半分の大きさを有する天板を夫々設け、当該天板の上端縁に折り目を介して折り込み板を夫々設け、前記各天板と各折り込み板の間の折り目の略中央から当該各折り込み板上に略山形の切り込みを設け、前記各天板を各折り目により内側に折り込み、さらに、各折り込み板を各折り目により折り上げて略垂直に立設させて互いに重ね、同時に各折り込み板の略山形の切り込みによって形成された水平な状態の略山形片を互いに重ねて当該紙箱の取り手を設け、前記一方の相対向する各側板の略山形片を夫々内側に倒して当該各略山形片の縦方向の切り込みに前記折り込み板の左右の端部を差し入れて夫々係止した保冷体収納部付組立て紙箱とした。
【００１１】
請求項３の発明は、底板の四辺に設けられた各板体を折り目により折り込んで各側板を形成する組み立て紙箱において、一方の相対向する各側板の上端縁に折り目を介して側板上板を夫々設け、当該各側板上板上であって前記折り目の両端より内側箇所の当該折り目から上部に略山形の切り込みを夫々設け、当該各略山形の切り込みによって形成される各略山形片を残したまま、当該各略山形片の外側の側板上板を前記折り目により当該紙箱の底板に向けて夫々折り込み、当該折り込まれた側板上板と相対向する側板によって、側面が開口した保冷体収納部を少なくとも一つ設け、前記略山形片を内側に折り込んで天板又は別設の蓋で前記組立て紙箱の開口部を塞ぐ保冷体収納部付組立て紙箱とした。
【００１２】
請求項４の発明は、前記側板上板の長さを側板の長さより長く設け、当該側板上板を折り目によって前記底板に向けて折り込み、当該側板上板を内側に凸湾曲させてその先端縁を底板上に当接させた前記請求項１、２又は３の何れかに記載の保冷体収納部付組立て紙箱とした。
【００１３】
請求項５の発明は、前記側板上板上において、前記側板と側板上板との間の折り目の上方にもう１本折り目を設け、前記側板上板をこれらの２本の折り目によりコ字型にして内側及び底板に向けて折り込んだ前記請求項１、２、３又は４の何れかに記載の保冷体収納部付組立て紙箱とした。
【００１４】
請求項６の発明は、前記紙箱の底板を四方の各側板の下端縁に折り目を介して設けた各底板片を重ねて形成し、前記側板上板を設けていない相対向する各側板の一方の側板の底板片の横幅を当該紙箱の底板の横幅よりやや短く設け、各底板片を重ねて紙箱の底板を形成する際、前記他方の相対向する各側板の一方の側板の底板片を各底板片の最上位に位置させ、当該底板片の左右の両端縁に前記各側板の折り込んだ側板上板の先端縁を係止する前記請求項１、２、３、４又は５の何れかに記載の保冷体収納部付組立て紙箱とした。
【００１５】
請求項７の発明は、前記折り込まれた側板上板の外端に突片を設け、当該突片を対向する底板に穿った透孔内に挿入係止する前記請求項１、２、３、４、５又は６の何れかに記載の保冷体収納部付組立て紙箱とした。また、請求項８の発明は、前記側板上板を折り込む、側板と側板上板との間の折り目をミシン目として、当該折り目により前記側板上板を切り取り自在に設けた前記請求項２、３、４、５、６又は７の何れかに記載の保冷体収納部付組立て紙箱とした。 
【発明の効果】
【００１６】
請求項１の発明によれば、紙箱の一つの側板の上端縁に折り目を介して側板上板を設け、当該側板上板に略山形の切り欠きを設け、当該切り欠きによって形成される各略山形片を残したまま、前記側板上板を紙箱の内側に折り込んで、折り込まれた側板上板と相対向する側板によって保冷体収納部を形成したので、従来捨てていた部分を有効に利用出来、新たな部材を必要とせず、容易に保冷体収納部を設けることが出来、経済的である。また、紙箱内の一側面に保冷体収納部を設けており、加えて、当該保冷体収納部は側面が開口しているので、開口部が大きく取れ、より効果的に紙箱内を保冷することが出来る。また、この様に開口しているため、保冷体を入れる際も容易に挿入できる。
【００１７】
請求項２の発明によれば、いわゆるキャリータイプの紙箱において、一方の相対向する各側板の上端縁に折り目を介して側板上板を夫々設け、取り手の左右端縁に係止する左右の側板上板に略山形の切り欠きを設け、当該切り欠きによって形成される略山形片を立設させて形成し、前記側板上板を紙箱の内側に折り込んで、折り込まれた板体上板と相対向する側板によって保冷体収納部を形成したので、従来捨てていた部分を有効に利用出来、新たな部材を必要とせず、容易に保冷体収納部を設けることが出来、経済的である。また、紙箱内の少なくとも一側面に保冷体収納部を設けており、加えて、保冷体収納部は側面が開口しているので、開口部が大きく取れ、より効果的に紙箱内を保冷することが出来る。また、この様に開口しているため、保冷体を入れる際も容易に挿入できる。
【００１８】
請求項３の発明によれば、取り手の無い、いわゆるボックスタイプの紙箱において、一方の相対向する各側板の上端縁に折り目を介して側板上板を夫々設け、当該側板上板に略山形の切り欠きを設け、当該切り欠きによって形成される各略山形片を残したまま、当該各側板上板を底面に向けて折り込んで、紙箱内に保冷体収納部を設けたので、従来捨てていた部分を有効に利用出来、新たな部材を必要とせず、容易に保冷体収納部を設けることが出来、経済的である。また、紙箱内の少なくとも一側面に保冷体収納部を設けており、加えて、保冷体収納部は側面が開口しているので、開口部が大きく取れ、より効果的に紙箱内を保冷することが出来る。また、この様に開口しているので、保冷体を入れる際も容易に挿入できる。
【００１９】
請求項４の発明によれば、前記側板上板の長さを側板の長さより長く設け、当該側板上板を折り目によって前記底板に向けて折り込み、当該側板上板を内側に凸湾曲させてその先端縁を底板上で当接させたので、一定の空間を有する保冷体収納部を確保出来る。また、より大きな保冷体を収納することが出来、より効果的に紙箱内を保冷することが出来る。また、内側面が広く開口しているので、保冷体を入れる際も容易に挿入できる。
【００２０】
請求項５の発明によれば、前記各側板上板上において、前記各側板と各側板上板との間の折り目の上方にもう１本折り目を設け、前記各側板上板をこれらの２本の折り目によりコ字型にして内側及び底部に向けて折り込んで保冷体収納部を設けたので、当該保冷体収納部に幅を持たせることが出来、より大きな保冷体を安定して収納することが出来る。また、保冷体も入れ易い。
【００２１】
請求項６の発明によれば、各底板を重ねて紙箱の底板を形成する際、前記側板上板を設けていない相対向する各側板の一方の側板の底板を各底板の最上位に位置させ、当該底板の左右の両端縁に前記各側板上板の先端縁を係止することとしたので、より確実かつ簡単に保冷体収納部を形成することが出来、また、一旦保冷体収納部を形成した後は、折り込んだ各側板上板が無闇に開くことが無く、保冷体収納部として信頼出来るものである。
【００２２】
請求項７の発明によれば、前記折り込まれた各側板上板の外端に突片を設け、当該突片を対向する底板に穿った透孔内に挿入係止することとしたので、より確実かつ簡単に保冷体収納部を形成することが出来、また、一旦保冷体収納部を形成した後は、折り込んだ各側板上板が無闇に開くことが無く、保冷体収納部として信頼出来るものである。
【００２３】
請求項８の発明によれば、前記側板上板を折り込む折り目をミシン目として、当該折り目により前記側板上板を切り取り自在に設けたので、紙箱内に保冷体収納部を設ける必要が無い場合など、又は、保冷体収納部が一つで良い場合など、不要な側板上板をミシン目によって切り取れば、紙箱内を有効に使用することが出来る。
【発明を実施するための最良の形態】
【００２４】
底板の四辺に設けられた各板体を折り目により折り込んで各側板を形成する組み立て紙箱において、一つの側板の上端縁に折り目を介して側板上板を設け、当該側板上板上であって前記折り目の両端より内側箇所の当該折り目から上部に略山形の切り込みを設け、当該略山形の切り込みによって形成される略山形片を残したまま、前記側板上板を前記折り目により当該紙箱の底板に向けて折り込み、当該折り込まれた側板上板と相対向する側板によって、内側面が開口した保冷体収納部を設けた。
【００２５】
これらにより、従来捨てていた部分を有効に利用出来、新たな部材を必要とせず、容易に保冷体収納部を設けることが出来、経済的である。
【実施例１】
【００２６】
以下、この発明の実施例１を図に基づいて説明する。
図１は、この発明の実施例１の保冷体収納部付紙箱の両開閉天板を開いた状態の斜視図である。図２は、この発明の実施例１の保冷体収納部付紙箱の展開図である。図３は、この発明の実施例１の保冷体収納部付紙箱内の左右の側板に、保冷体収納部を設けた状態の断面図である。図４は、この発明の実施例１の保冷体収納部付紙箱の組立て完成斜視図である。
【００２７】
この紙箱Ａは横長の直方体形状であり、上部に取り手を有するキャリータイプのものである。図２に示すように、横長の長方形状の後側板１を設け、この後側板１の後端縁に折り目ａを介して、この紙箱Ａの上面開口部のおよそ半分の大きさの開閉天板２を設け、この開閉天板２の後端縁に折り目ｂを介して折り込み板３を設けている。この折り込み板３の後端縁の左右の両端近くに凹状の係止切り欠き４を夫々設け、前記折り目ｂの中央から折り込み板３上に山形の切り込み５を設けている。この切り込み５を設けた箇所には前記折り目ｂを設けていない。また、前記開閉天板２及び折り込み板３の左端縁において、前記折り目ｂ付近に一定長の突出部６を設けている。
【００２８】
前記後側板１の前端縁には折り目ｃを介して、この紙箱Ａの底面とほぼ同大であって、前端縁に向かってやや先細となった底板片７を設けている。これにより、底板片７の左右の幅は後側板１の幅より小さくなっている。この底板片７の前端縁の中央には一定幅の突片７ａを設け、この突片７ａの右側は一定幅で切り取られた形状となっている。
【００２９】
前記後側板１の左端縁には折り目ｄを介して左側板８を設け、この左側板８の後端縁には折り目ｅを介して、長方形状の左側上板９を設けている。この左側上板９は、左側板８より縦の長さが幾分長くなっている。前記折り目ｅの左右端から中央に一定幅入った箇所からこの左側上板９上に半円形状の切り込み１０を設け、さらに、この切り込み１０によって形成される半円形状片１０ａ上に前記折り目ｅの中央を下端部として上部にかけて一定長の切り込み１１を設け、この切り込み１１の下部右側は扇形切り欠き１１ａを形成している。
【００３０】
また、この左側上板９の後端縁の中央には一定幅の突片９ａを設け、この左側上板９上であって、前記切り込み１０の外側の位置に透孔９ｂを２つ並設している。また、この左側上板９の右端縁の、前記開閉天板２の突出部６に相応する個所は、当該突出部の分だけ、切り欠いた状態となっている。
【００３１】
さらに、この左側板８の前端縁に折り目ｇを介して逆さ台形状の底板片１２を設け、この底板片１２の左端縁は折り目ｈを介して三角形状の貼着片１３を形成している。また、前記折り目ｇの中央には一定幅の切り込み１２ａを設けている。
【００３２】
この左側板８の左端縁には、折り目ｉを介して前側板１４を設け、この前側板１４の後端縁には折り目ｊを介して前記開閉天板２と同構造の開閉天板１５を設け、この前側板１４の左端縁には折り目ｋを介して貼着片１６を設けている。また、この前側板１４の前端縁には折り目ｍを介して、この紙箱Ａの底面のほぼ半分の大きさの横長の長方形状の底板片１７を設けており、前記折り目ｍの中央には一定幅の切り込み１７ａを設けている。
【００３３】
前記後側板１の右端縁には折り目ｎを介して前記左側板８と同じ右側板１８を設け、この右側板１８の後端縁には折り目ｏを介して前記左側上板９とほぼ同構造の右側上板１９を設け、この右側板１８の前端縁には折り目ｐを介して前記底板片１２とほぼ同様の底板片２０を設けている。
【００３４】
次に、この紙箱Ａを展開図の状態から組み立て形成する。まず、この紙箱Ａの後側板１、左側板８、前側板１４、右側板１８を各折り目ｄ、ｉ、ｋ、ｎによって内側に折り曲げ、貼着片１６の外側に接着剤を塗り付けて右側板１８の右端縁の内側に貼り付け、この紙箱Ａを角筒状に設ける。そして、底板片７を折り目ｃを介して、角筒状の紙箱Ａの底面の開口部を塞ぐように略直角に折り曲げ、底板片７の突片７ａを対向する前側板１４の折り目ｍの切り込み１７ａに差し入れて係止し、その下から、底板片１７を同様に折り曲げ、さらに、底板片１２、２０を同様に折り曲げ、これらの底板片１２、２０の貼着片１３、２１の内側を底板片７、１７の外側に夫々貼り付ける。これにより、紙箱Ａの底板を形成する。
【００３５】
続いて、まず、前記半円形状の切り込み１０によって形成される半円形状片１０ａを立設した状態で残し、図３に示すように、その外側の左側上板９を折り目ｅにより底部に向けて折り込んで内側に凸湾曲した状態で、左側上板９の先端の突片９ａを左側板８の切り込み１２ａに差し入れて係止する。この時、左側上板９の先端外側は、前記底板片７の端縁によっても係止された状態にある。これにより、左側上板９と左側板８によって内側にやや膨らんだ形状の左側の保冷体収納部２２を形成する。この時、保冷体収納部２２の上部内側面には、前記半円形状の切り込み１０によって半円形状の開口部が設けられている。同様にして右側上板１９も折り込んで右側の保冷体収納部２３を形成する。
【００３６】
そして、前記開閉天板２、１５を折り目ａ、ｊにより紙箱Ａの上面の開口部を塞ぐように夫々折り込み、前記山形の切り込み５、２５によって形成される山形片５ａ、２５ａを水平な状態のままにし、前記折り込み板３、２４を折り目ｂ、ｑにより折り上げて略垂直に立設させて互いに重ね、同時に折り込み板３、２４の水平な状態にある前記山形片５ａ、２５ａを互いに重ねて前記山形の切り込み５、２５によって折り込み板３、２４に開口部が形成され、当該紙箱Ａの取り手となる。前記半円形状片１０ａ、２６ａを内側に倒して当該半円形状片１０ａ、２６ａの縦方向の切り込み１１、２７に前記折り込み板３、２４の左右の端部を差し入れ、そして、開閉天板２、１５及び折り込み板３、２４の突出部６、２８を半円形状片１０ａ、２６ａの扇形切り欠き１１ａ、２７ａ内に嵌め入れ、さらに、この折り込み板３、２４の左右の係止切り欠き４、２９に各半円形状片１０ａ、２６ａの縦方向の切り込み１１、２７を夫々係止する。この様にして、紙箱Ａを形成する。
【００３７】
この状態では、紙箱A内の左右の側面に保冷体収納部２２、２３を設けており、加えて、半円形状片１０ａ、２６ａは、紙箱Ａ外にあって保冷体収納部２２、２３の上部内側面は開口した状態にあり、さらに、この保冷体収納部２２、２３の内側面には、透孔９ｂを設けているので、保冷体収納部２２、２３の中に保冷体Ｃを入れた場合、紙箱Ａ内を充分に保冷状態に保つことが出来る。
【００３８】
次に、この紙箱Ａを折り畳むには、折り込み板３、２４の左右から各半円形状片１０ａ、２６ａの係止を外し、この折り込み板３、２４の重合を解除して各開閉天板２、１５を上方へ持ち上げ、この紙箱Ａの上面を開口し、また、左側上板９及び右側上板１９を外側へ開く、さらに、底板片７の突片７ａの切れ込み１７ａへの係止を解除し、紙箱Ａ全体を折り目ｉ、ｎ（又はｄ、ｋ）を境にし、前記底板片７、１７を折り目ｃ及びｍにより上方へ上げる。これにより、各底板片１２、２０の貼着片１３、２１によって底板片７、１７は貼着されているため、折り目ｈ、ｒを介して持ち上がり、全体を扁平に折り畳む。
【００３９】
この時、底板片７の前端縁の中央の突片７ａの右側を一定幅で切り取っているので、この部分に指を掛ければ比較的容易に、突片７ａの切れ込み１７ａへの係止を解除でき、底板片７を持ち上げることが出来る。
【００４０】
一般的には、この扁平に折り畳まれた状態で店頭に保管準備され、ケーキ等の販売に応じて前記の手順で瞬時に組み立てられ、紙箱Ａ内の左右の保冷体収納部２２、２３に保冷体Ｃを入れて、これらの保冷体収納部２２、２３の間のスペースにケーキ等を載置して顧客に手渡される。
【実施例２】
【００４１】
次に、この発明の実施例２を説明する。図５は、この発明の実施例２の保冷体収納部付紙箱の開閉天板を開けた状態の斜視図である。図６は、この発明の実施例２の保冷体収納部付紙箱の左側板及び左側上板の正面図である。図７は、この発明の実施例２の保冷体収納部付紙箱の開閉天板を開け、左右の半円形状の切り込み片を夫々内側に折り曲げた状態の斜視図である。図８は、この発明の実施例２の保冷体収納部付紙箱の組立て完成斜視図である。
【００４２】
この実施例２では、箱本体は前記実施例１とほぼ同構造であり、それ故、前記実施例１と異なる構成についてのみ説明する。この実施例２の紙箱Ｂと前記実施例１の紙箱Ａにおいて、大きく異なるのは、上部に取り手を有するキャリータイプの紙箱Ａか、取り手を有しないボックスタイプの紙箱Ｂかと言うことであり、この実施例２は、取り手の無いボックスタイプである。
【００４３】
従って、この実施例２では、前記後側板３１の上端に折り目を介して天板３２を設け、この天板３２の前端に設けた係止片３２ａを、前側板３３の係止溝３３ａに挿入するものである。
【００４４】
また、この紙箱Ｂには、取り手が無いので、図６に示すように、前記実施例１において、取り手を係止していた各半円形状片３４には、縦長の切り込み１１、２７や扇型の切り欠き１１ａ、２７ａを設けていない。
【００４５】
さらに、この実施例２では、左側上板３５の折り目ｅの上方であって、半円形状片３４の外側の位置に、さらに、もう一本折り目ｆを設けている。この折り目ｆと前記折り目ｅによって、左側上板３５を底部に向けてコ字形に折り込んで、幅を持った保冷体収納部３０を形成することが出来る。右側板側にも同様の構成を設けている。
【００４６】
そして、この紙箱Ｂの組立てに際しては、前記実施例１と同様の手順にて組立て、左側上板３５及び右側上板３５を底部に向けて夫々コ字形に折り込んで、保冷体収納部３０を夫々形成し、当該個所に保冷体Ｃを入れた後、図７に示すように、各半円形状片３４を内側に折り曲げ、図８に示すように、当該各半円形状片３４の上から天板３２を閉じて、この紙箱Ｂの上面の開口部を塞ぐ。この様にして、この実施例２の紙箱Ｂを形成して使用する。他の構成は、前記実施例１と同様である。
【００４７】
この状態では、各半円形状片３４は、紙箱Ｂ内にあるが、天板３２と平行でほぼ当接した状態にあり、紙箱Ｂ内に載置されるケーキ等と接触したりすることは無い。また、紙箱Ｂ内の左右の側面に保冷体収納部３０を設けており、加えて、各保冷体収納部３０の上面と内側面は、開口した状態にあるので、この紙箱Ｂ内を充分な保冷状態に保つことが出来る。
【００４８】
また、前記折り目ｅ、ｆをミシン目で設けることにより、保冷体収納部３０が左右のどちらか一つだけで良い場合、不要な方の側板上板を折り目ｅ、ｆのどちらかの折り目によって切り取れば、紙箱Ｂ内を広く使うことが出来る。
【００４９】
前記実施例１、２では、いわゆるキャリータイプの紙箱Ａとボックスタイプの紙箱Ｂの構成を具体的に記載しているが、この発明の実施例１、２が実施出来るキャリータイプの紙箱、ボックスタイプの紙箱であるならば、他の構成のものでももちろん良い。また、紙箱Ａ、Ｂ内の左右の側面で保冷体収納部２２、２３，３０を設けているが、保冷体収納部が一つで良い場合は、もちろん一つ設けるだけでよい。
【００５０】
前記実施例１では、底板片７に突片７ａ、左側上板９に突片９ａ、右側上板１９に突片１９ａを夫々設け、切り込み１７ａ、１２ａ、２０ａに夫々差し入れて係止しているが、これらの構成は無くても良い。また、折り込み板３、２４と開閉天板２、１５に突出部６、２８を設け、扇形切り欠き１１ａ、２７ａに嵌め入れているが、これらの構成は無くても良い。
【００５１】
また、折り込み板３、２４に係止切り欠き４、２９を設けているが、これらは無くても良く、保冷体収納部２２、２３の内側面に、透孔９ｂを設けているが、これらの透孔９ｂは無くても良い。また、左側上板９及び右側板１９の切り込みの形状は、半円形状に限るものではなく、略山形ならば、他の形状でももちろんよい。
【００５２】
また、保冷体収納部２２、２３、３０の中には、保冷体Ｃのほか、ロウソクやナプキンなど他の備品を入れてももちろん良い。
【図面の簡単な説明】
【００５３】
【図１】この発明の実施例１の保冷体収納部付紙箱の両開閉天板を開いた状態の斜視図である。
【図２】この発明の実施例１の保冷体収納部付紙箱の展開図である。
【図３】この発明の実施例１の保冷体収納部付紙箱内の左右の側板に、保冷体収納部を設けた状態の断面図である。
【図４】この発明の実施例１の保冷体収納部付紙箱の組立て完成斜視図である。
【図５】この発明の実施例２の保冷体収納部付紙箱の開閉天板を開けた状態の斜視図である。
【図６】この発明の実施例２の保冷体収納部付紙箱の左側板及び左側上板の正面図である。
【図７】この発明の実施例２の保冷体収納部付紙箱の開閉天板を開け、左右の半円形状の切り込み片を内側に夫々折り曲げた状態の斜視図である。
【図８】この発明の実施例２の保冷体収納部付紙箱の組立て完成斜視図である。
【符号の説明】
【００５４】
Ａ    紙箱              Ｂ    紙箱                Ｃ    保冷体
１    後側板            ２    開閉天板            ３    折り込み板
４    切り欠き          ５    切り込み            ６    突出部
７    底板              ８    左側板              ９    左側上板
１０    切り込み        １１    切り込み          １２    底板
１３    貼着片          １４    前側板            １５    開閉天板
１６    貼着片          １７    底板              １８    右側板
１９    右側上板        ２０    底板              ２１    貼着片
２２    保冷体収納部    ２３    保冷体収納部      ２４    折り込み板
２５    切り込み        ２６    切り込み          ２７    切り込み
２８    突出部          ２９    切り欠き          ３０    保冷体収納部
３１    後側板          ３２    天板              ３３    前側板
３４    半円形状片      ３５    左側上板、右側上板
【図１】
2010013131.tif 000003
【図２】
2010013131.tif 000004
【図３】
2010013131.tif 000005
【図４】
2010013131.tif 000006
【図５】
2010013131.tif 000007
【図６】
2010013131.tif 000008
【図７】
2010013131.tif 000009
【図８】
2010013131.tif 000010